(57)【要約】【課題】  電子ペーパーＥＰとドキュメント編集装置５０とを連携させて、電子ペーパーＥＰに表示保持されているドキュメントをドキュメント編集装置５０の処理対象データとする。【解決手段】  電子ペーパーＥＰは、ドキュメント情報記憶手段４１により表示部２に表示保持しているドキュメントの電子データ又はドキュメントＩＤデータを記憶し、状態検出手段４２でドキュメント編集装置５０のマウス５１と接触した連携状態を検出すると、送信手段４３が表示保持しているドキュメントに係るデータを送信する。ドキュメント編集装置５０は、データ編集手段６１がマウス５１から入力された指示に応じて、電子ペーパーＥＰから入力されたドキュメントの電子データを、画面５２に表示しているドキュメント中のマウス指示位置に挿入する。【選択図】  図１
2005267145.tif 000002
【特許請求の範囲】
【請求項１】
ドキュメント画像を画面表示し操作入力手段からのユーザ入力に応じて当該ドキュメントの電子データを編集するドキュメント編集装置と、ドキュメント画像を表示部に無電源状態で表示保持する電子ペーパーとを連携させたドキュメント編集システムであって、
前記電子ペーパーは、表示部に表示保持しているドキュメントに係る情報を記憶するドキュメント情報記憶手段と、前記操作入力手段と所定の連携状態とされたことを検出する状態検出手段と、前記所定の連携状態となったときに表示保持しているドキュメントに係る情報を前記ドキュメント編集装置に送信する出力手段と、を備え、
前記ドキュメント編集装置は、画面表示している該ドキュメント画像中に前記操作入力手段による指示位置を表示する指示位置表示手段と、前記操作入力手段から入力された指示に応じて該情報に基づくドキュメント電子データを、画面表示しているドキュメント画像に対応したドキュメントの電子データの該指示位置に該当する位置に挿入するデータ編集手段と、を備えたことを特徴とするドキュメント編集システム。
【請求項２】
請求項１に記載のドキュメント編集システムにおいて、
前記ドキュメント編集装置は、該情報に基づいて当該ドキュメントのサムネイル画像を生成するサムネイル作成手段と、生成された該サムネイル画像を該ドキュメント画像中の該指示位置に表示するサムネイル表示手段と、を備えることを特徴とするドキュメント編集システム。
【請求項３】
請求項１記載のドキュメント編集システムにおいて、
前記ドキュメント編集装置は、前記所定の連携状態が終了したときに、画面表示している該ドキュメント画像中の前記指示位置の表示を終了することを特徴とするドキュメント編集システム。
【請求項４】
ドキュメント画像を画面表示し操作入力手段からのユーザ入力に応じて当該ドキュメントの電子データを編集するドキュメント編集装置と、ドキュメント画像を表示部に無電源状態で表示保持する電子ペーパーとを連携させたドキュメント編集システムであって、
前記電子ペーパーは、表示部に表示保持しているドキュメントに係る情報を記憶するドキュメント情報記憶手段と、前記操作入力手段と所定の連携状態とされたことを検出する状態検出手段と、前記所定の連携状態となったときに該情報を前記ドキュメント編集装置に送信する出力手段と、を備え、
前記ドキュメント編集装置は、前記操作入力手段から入力された指示に応じて該情報に基づいて当該ドキュメント画像を画面表示するドキュメント表示手段を備えたことを特徴とするドキュメント編集システム。
【請求項５】
請求項４に記載のドキュメント編集システムにおいて、
前記ドキュメント表示手段は、画面表示するドキュメント電子データに対応するアプリケーションプログラムを起動することを特徴とするドキュメント編集システム。
【請求項６】
ドキュメント画像を画面表示し操作入力手段からのユーザ入力に応じて当該ドキュメントの電子データを編集するドキュメント編集装置と、ドキュメント画像を表示部に無電源状態で表示保持する電子ペーパーとを連携させ、前記電子ペーパーは、更に、前記表示部に表示保持しているドキュメントに係る情報を記憶するドキュメント情報記憶手段と、前記ドキュメント編集装置の操作入力手段と所定の連携状態とされたことを検出する状態検出手段と、所定の連携状態となったときに該情報を前記ドキュメント編集装置に送信する出力手段と、を備えたドキュメント編集システムを構成するドキュメント編集装置であって、
画面表示しているドキュメント画像中に前記操作入力手段による指示位置を表示する指示位置表示手段と、前記操作入力手段から入力された指示に応じて該情報に基づくドキュメント電子データを、画面表示している該ドキュメント画像に対応したドキュメント電子データの指示位置に該当する位置に挿入するデータ編集手段と、を備えたことを特徴とするドキュメント編集システムのドキュメント編集装置。
【請求項７】
ドキュメント画像を画面表示し操作入力手段からのユーザ入力に応じて当該ドキュメントの電子データを編集するドキュメント編集装置と、該ドキュメント画像を表示部に無電源状態で表示保持する電子ペーパーとを連携させ、前記ドキュメント編集装置は、更に、該ドキュメント画像中に操作入力手段による指示位置を表示する指示位置表示手段と、前記操作入力手段から入力された指示に応じて前記電子ペーパーの表示部に表示保持されたドキュメントに係る情報に基づくドキュメント電子データを前記ドキュメント編集装置で画面表示しているドキュメント電子データの該指示位置に該当する位置に挿入するデータ編集手段と、を備えたドキュメント編集システムを構成する電子ペーパーであって、
前記表示部に表示保持しているドキュメントに係る情報を記憶するドキュメント情報記憶手段と、前記ドキュメント編集装置の前記操作入力手段と所定の連携状態とされたことを検出する状態検出手段と、前記所定の連携状態となったときに該情報を前記ドキュメント編集装置に送信する出力手段と、を備えたことを特徴とするドキュメント編集システムの電子ペーパー。
【請求項８】
請求項７記載の前記電子ペーパーにおいて、
前記出力手段により該情報を出力した際のログ情報を記憶することを特徴とする電子ペーパー。
【請求項９】
ドキュメント画像を画面表示し操作入力手段からのユーザ入力に応じて当該ドキュメントの電子データを編集するドキュメント編集装置と、ドキュメント画像を表示部に無電源状態で表示保持する電子ペーパーとを連携させ、電子ペーパーは、更に、前記表示部に表示保持しているドキュメントに係る情報を記憶するドキュメント情報記憶手段と、前記ドキュメント編集装置の前記操作入力手段と所定の連携状態とされたことを検出する状態検出手段と、該所定の連携状態となったときに表示保持しているドキュメントに係る情報を送信する出力手段と、を備えたドキュメント編集システムを構成するドキュメント編集装置であって、
前記操作入力手段から入力された指示に応じて前記情報に基づくドキュメント画像を画面表示するドキュメント表示手段を備えたことを特徴とするドキュメント編集システムのドキュメント編集装置。
【請求項１０】
ドキュメント画像を画面表示し操作入力手段からのユーザ入力に応じて当該ドキュメントの電子データを編集するドキュメント編集装置と、該ドキュメント画像を表示部に無電源状態で表示保持する電子ペーパーとを連携させ、前記ドキュメント編集装置は、更に、前記操作入力手段から入力された指示に応じて前記電子ペーパーから入力されたドキュメントに係る情報に基づくドキュメント画像を画面表示するドキュメント表示手段を備えたドキュメント編集システムを構成する電子ペーパーであって、
前記表示部に表示保持しているドキュメントに係る情報を記憶するドキュメント情報記憶手段と、前記操作入力手段と所定の連携状態とされたことを検出する状態検出手段と、前記所定の連携状態となったときに該情報を前記ドキュメント編集装置に送信する出力手段と、を備えたことを特徴とするドキュメント編集システムの電子ペーパー。
【請求項１１】
ドキュメント画像を画面表示し操作入力手段からのユーザ入力に応じて当該ドキュメントの電子データを編集するドキュメント編集装置と、該ドキュメント画像を表示部に無電源状態で表示保持する電子ペーパーとを連携させてドキュメントを編集する方法であって、
前記電子ペーパーが、ドキュメント情報記憶手段により前記表示部に表示保持しているドキュメントに係る情報を記憶し、状態検出手段によりドキュメント編集装置の操作入力手段と所定の連携状態とされたことを検出し、出力手段により所定の連携状態となったときに表示保持しているドキュメントに係る情報を前記ドキュメント編集装置に送信し、
前記ドキュメント編集装置が、データ編集手段により前記操作入力手段から入力された指示に応じて前記情報に基づくドキュメント電子データを画面表示している該ドキュメント画像に対応したドキュメント電子データの指示位置に該当する位置に挿入することを特徴とするドキュメント編集方法。
【請求項１２】
ドキュメント画像を画面表示し操作入力手段からのユーザ入力に応じて当該ドキュメントの電子データを編集するドキュメント編集装置と、該ドキュメント画像を表示部に無電源状態で表示保持する電子ペーパーとを連携させてドキュメントを編集する方法であって、
前記電子ペーパーが、ドキュメント情報記憶手段により前記表示部に表示保持しているドキュメントに係る情報を記憶し、状態検出手段により前記ドキュメント編集装置の操作入力手段と所定の連携状態とされたことを検出し、出力手段により前記所定の連携状態となったときに表示保持しているドキュメントに係る情報を前記ドキュメント編集装置に送信し、
前記ドキュメント編集装置が、前記ドキュメント表示手段により操作入力手段から入力された指示に応じて該情報に基づくドキュメント画像を画面表示することを特徴とするドキュメント編集方法。
【発明の詳細な説明】
【技術分野】
【０００１】
本発明は、表示部にドキュメント画像を無電源状態で表示保持する柔軟で薄型の電子ペーパーを用いるドキュメント編集技術に関し、電子ペーパーの表示保持されているドキュメントの電子データをパーソナルコンピュータ等のドキュメント編集装置により処理することを実現する技術に関する。
【背景技術】
【０００２】
パーソナルコンピュータ（ＰＣ）等を利用して、画像やテキスト等の様々なメディアの電子データを扱って、ドキュメントの作成、編集、閲覧等がなされている。
このような電子データドキュメントの編集は、ドキュメント編集装置としてのコンピュータのディスプレイ画面にドキュメントの画像を表示し、マウスやキーボード等からのユーザ操作入力に従って表示ドキュメントの電子データを編集することにより行われる。
【０００３】
近年では、紙媒体である用紙にとって代わることが可能なドキュメント閲覧のための媒体として、用紙の如く柔軟な薄型で情報画像を無電源状態で表示保持することができる電子ペーパーが開発されている。
電子ペーパーは、無電源状態で情報画像を表示保持する表示部を有した装置であり、その表示部への情報画像の書き込み形式で大別すると、電子データに基づいて自己で情報画像を表示部に書き込みする機能を有する自己書き込み型電子ペーパーと、投影された情報画像を表示部に保持する光書き込み型電子ペーパーとがある。
このような電子ペーパーは、用紙と異なって表示部に表示保持した情報画像を消去したり上書きすることが可能であり、繰り返し使用することができる紙資源の節約等の観点からも利用促進が望まれている。
【０００４】
ここで、電子データで構成されたドキュメントの閲覧に電子ペーパーを用いた場合、当該電子ペーパーに表示保持されているドキュメントをドキュメント編集装置により編集処理できるようにすることが望まれる。このような電子ペーパーとドキュメント編集装置との連携は、電子ペーパーにより容易に持ち運んでドキュメントを閲覧できる環境と、電子データの処理によりドキュメントを容易に編集できる環境とを結び付けることができ、ドキュメント情報の利用を図るために重要な課題である。
なお、用紙に印刷したドキュメントの複数枚の束について、ページめくり動作を検出して筆記入力装置による筆記対象のページを特定する発明が提案されている（特許文献１参照。）。
【特許文献１】特開２００１―１４７７７１号公報
【発明の開示】
【発明が解決しようとする課題】
【０００５】
しかしながら、従来では、電子ペーパーとＰＣ等のドキュメント編集装置との連携は実現されておらず、電子ペーパーはドキュメントを容易に持ち運んで閲覧するための機器として利用しているに止まっていた。
本発明は、上記従来の事情に鑑みなされたもので、電子ペーパーとドキュメント編集装置との連携を図ることにより、電子ペーパーに表示保持されているドキュメントの電子データを編集装置に戻すことができる、或いは、これと同等の処理を実現することを目的としている。
【課題を解決するための手段】
【０００６】
本発明は、ドキュメント画像を画面表示し操作入力手段からのユーザ入力に応じて当該ドキュメントの電子データを編集するドキュメント編集装置と、ドキュメント画像を表示部に無電源状態で表示保持する電子ペーパーとを連携させてドキュメントを編集するシステム、このようなシステムを構成するドキュメント編集装置、このようなシステムを構成する電子ペーパー、ドキュメント編集装置と電子ペーパーとを連携させてドキュメントを編集する方法である。
【０００７】
本発明における電子ペーパーでは、ドキュメント情報記憶手段により表示部に表示保持しているドキュメントに係る情報（すなわち、当該ドキュメントの電子データ又は当該ドキュメントを特定するためのデータ）を記憶し、状態検出手段によりドキュメント編集装置の操作入力手段と接触する等の所定の連携状態にされたことを検出し、出力手段により無線通信等の方法で当該所定の連携状態となったときに表示保持しているドキュメントに係る情報を送信する。一方、ドキュメント編集装置では、データ編集手段によりポインティングデバイス等の操作入力手段から入力された指示に応じて、電子ペーパーから入力されたドキュメントに係る情報に基づくドキュメント電子データを、画面表示しているドキュメントのドキュメント電子データの指示位置に該当する位置に挿入する。
【０００８】
したがって、ドキュメント編集装置は、電子ペーパーから入力されたドキュメント電子データに基づいて、或いは、電子ペーパーから入力されたドキュメントを特定するためのデータによってメモリ等から取得したドキュメント電子データに基づいて、自己が画面表示しているドキュメント中のポインティング指示された位置に電子ペーパーが表示しているドキュメントを挿入貼り付けするといった処理を行う。すなわち、電子ペーパーが表示保持しているドキュメントをドキュメント編集装置が画面表示しているドキュメント中のユーザ指示された位置に挿入する。
なお、本発明では、ドキュメント編集装置は、サムネイル作成手段により電子ペーパーから入力されたドキュメントに係る情報に基づいて当該ドキュメントのサムネイル画像を生成し、サムネイル表示手段によりサムネイル画像を画面表示しているドキュメント画像中の指示位置に表示するようにして、ユーザに対して挿入位置とともに挿入するドキュメントを確認し易くしてもよい。
【０００９】
また、本発明における電子ペーパーでは、ドキュメント情報記憶手段により表示部に表示保持しているドキュメントに係る情報を記憶し、状態検出手段によりドキュメント編集装置の操作入力手段と所定の連携状態とされたことを検出し、出力手段により所定の連携状態となったときに表示保持しているドキュメントに係る情報を送信する。一方、ドキュメント編集装置では、ドキュメント表示手段により操作入力手段から入力された指示に応じて電子ペーパーから入力されたドキュメントに係る情報に基づくドキュメント画像を画面表示する。
【００１０】
したがって、ドキュメント編集装置は、電子ペーパーから入力されたドキュメント電子データに基づいて、或いは、電子ペーパーから入力されたドキュメントを特定するためのデータによってメモリ等から取得したドキュメント電子データに基づいて、自己の表示画面に電子ペーパーが表示しているドキュメントを表示するといった処理を行う。すなわち、電子ペーパーが表示保持しているドキュメントをドキュメント編集装置が画面表示して、編集処理等の対象とする。
なお、本発明では、ドキュメント編集装置は、ドキュメント表示手段により画面表示するドキュメント電子データに対応するアプリケーションプログラムを起動することにより、当該ドキュメントを画面表示するだけでなく、アプリケーションプログラムによる編集等の高度な処理を加えることができるようにしてもよい。
【発明の効果】
【００１１】
本発明によると、電子ペーパーがドキュメント編集装置の操作入力手段と所定の連携状態となったことに基づいて、電子ペーパーが表示保持するドキュメントをドキュメント編集装置の画面に表示するようにしたため、電子ペーパーを上記連携状態にする操作を行うことで、電子ペーパーの表示ドキュメントをドキュメント編集装置による処理対象とすることができる。
【発明を実施するための最良の形態】
【００１２】
本発明を実施例に基づいて具体的に説明する。
まず、本発明に用いられる電子ペーパーＥＰについて、図９〜図１５に示す例を参照して具体的に説明する。
電子ペーパーＥＰには、表示情報の記録方式に違いにより大別して、図９〜図１２に示す光書き込み型と、図１２〜図１５に示す自己書き込み型とがあり、いずれの形式にあっても電子ペーパーと称せられるように紙の様に薄型で柔軟性を有する装置である。
【００１３】
図９（ａ）には光書き込み型電子ペーパーＥＰを正面視して示し、同図（ｂ）には当該光書き込み型電子ペーパーＥＰを側面視で示してある。なお、図示の電子ペーパーＥＰはドキュメント画像を表示保持する表示部２と電子データの処理を司る処理部３とを有しており、同図（ａ）には処理部３に内蔵されている諸機能部も表してある。
光書き込み型電子ペーパーＥＰは、例えばＡ４版の用紙のような大きさのフレキシブルな薄型であり、大部分の面積を占める表示部２にドキュメント画像を無電源状態で表示保持する。なお、表示部２の大きさは任意であり、また、表示部２と処理部３とを着脱可能として、例えばクリップ形式の処理部３を表示部２に装着して接続することにより電子ペーパーＥＰを構成するようにしてもよい。
【００１４】
処理部３には、後述するように表示部２を駆動する電圧を印加するための電極４、外部とデータ通信するための通信部（図示の例では無線部）５、電子データを読み書き自在に保持するメモリ６、後述するドキュメント編集装置の操作入力手段と所定の連携状態となったことを検出するセンサ７、センサ７による検出に応じてメモリ６に保持したデータの送信処理等を行う制御部（ＣＰＵ）８、これら機能手段の駆動電力を供給するバッテリ９が設けられている。
光書き込み型電子ペーパーＥＰは、外部の無線装置（図示せず）と無線部５で無線通信することによりドキュメントの電子データや当該ドキュメントを識別するＩＤコードデータ（すなわち、表示ドキュメントに係る情報）等の電子データを送受信し、また、これら電子データをメモリ６に保持することができる。
【００１５】
例えば、光書き込み型電子ペーパーＥＰは、図１０に示すように液晶パネル１０にドキュメントを画像として表示し、電極４に外部の電源から電圧を印加しながら光書き込み型電子ペーパーＥＰを液晶パネル１０に重ねて光を照射することにより、液晶パネル１０に表示させたドキュメント画像を表示部２に転写して記憶させることができる。
なお、電極４に電圧を印加しながら光書き込み型電子ペーパーＥＰに原稿等のドキュメントを印刷した用紙を重ねて光を照射することによっても、ドキュメント画像を表示部２に転写して記憶させることもでき、要は、光書き込み型電子ペーパーＥＰは電極４に電圧を印加することで投影された画像情報を表示部２に転写し、電極４に印加した電圧を除去した後も当該画像情報を表示状態で保持し続ける機能を有している。
【００１６】
光書き込み型電子ペーパーＥＰは、表示部２の断面構造を表す図１２に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００１７】
そして、光書き込み型電子ペーパーＥＰは、表示部２の動作原理を表す図１１に示すように、例えば画像書込み用の調光素子パネル（発光パネル）１０に転写するドキュメント画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極４に電圧を印加して新たな画像を投影することにより、表示部２に保持されているドキュメント画像を上書きすることもでき、このような上書き処理によっても幾度も再使用することができる。
したがって、光書き込み型電子ペーパーＥＰは、紙のように薄く柔軟である性質に加えて、画像の投影により転写されたドキュメント画像を無電源保持する性質があるので、あたかもプリンタや複写機に使用する紙の如く用いることができ、しかも、繰り返し再使用することができる記録媒体である。
【００１８】
更に、本例の光書き込み型電子ペーパーＥＰは、通信機能、メモリ機能及び連携状態検出機能を備えているので、図１及び図３を参照して後述するように、ドキュメント編集装置と連携して、表示部２に表示保持しているドキュメントをドキュメント編集装置による処理の対象とすることができる。
【００１９】
図１３（ａ）には自己書き込み型電子ペーパーＥＰを正面視して示し、同図（ｂ）には当該自己書き込み型電子ペーパーＥＰを側面視で示してある。図示の電子ペーパーＥＰは情報画像を表示保持する表示部１２と電子データの処理を司る処理部１３とを有しており、同図（ａ）には処理部１３に内蔵されている諸機能部も表してある。
自己書き込み型電子ペーパーＥＰは、光書き込み型電子ペーパー１と同様に、例えばＡ４版の用紙のような大きさのフレキシブルな薄型表示装置であり、大部分の面積を占める表示部１２の一片に処理部１３が設けられている。なお、光書き込み型電子ペーパー１と同様に、表示部１２の大きさは用途に応じた大きさのものとされ、また、表示部１２と処理部１３とを着脱可能として、例えばクリップ形式の処理部１３を表示部１２に装着して接続することにより電子ペーパーＥＰを構成するようにしてもよい。
【００２０】
処理部１３には、後述するように表示部１２を駆動するドライバ１４、外部とデータ通信するための通信部（図示の例では、無線部）１５、電子データを読み書き自在に保持するメモリ１６、後述するドキュメント編集装置の操作入力手段と所定の連携状態となったことを検出するセンサ１７、センサ１７による検出に応じてメモリ１６に保持したデータの送信処理等を行う制御部（ＣＰＵ）１８、これら機能手段の駆動電力を供給するバッテリ１９、ドライバ１４による画像書き込みに対する操作入力を受け付けるボタン等の操作部１１が設けられている。
自己書き込み型電子ペーパーＥＰは、外部の無線装置（図示せず）と無線部１５で無線通信することにより表示ドキュメントに係る情報を送受信し、また、当該情報をメモリ１６に保持することができる。
【００２１】
更に、自己書き込み型電子ペーパーＥＰは、光書き込み型電子ペーパーとは異なって、メモリ１６に保持したドキュメント電子データに基づいてドライバ１４が表示部１２にドキュメント画像を書き込んで表示し、また、操作部１１からの操作入力に応じて表示するドキュメント画像を切り換え変更することができ、ドライバ１４の駆動電力を除去しても表示部１２にドキュメント画像を表示状態で保持し続ける機能を有している。
自己書き込み型電子ペーパーＥＰは、表示部１２の断面構造を表す図１５に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００２２】
そして、自己書き込み型電子ペーパーＥＰは、表示部１２の動作原理を表す図１４に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、電子データに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによる画像情報が表示される。なお、異なる電子データに基づいてドライバ１４を動作させることにより、白色粒子３１と黒色粒子３２とのコントラストにより表示部１２に表示される画像情報を切り換えることができ、幾度も再使用することができる。
したがって、自己書き込み型電子ペーパーＥＰは、紙のように薄く柔軟である性質に加えて、表示部１２に表示した画像情報を無電源保持する性質があるので、あたかも紙の如く用いることができる記録媒体である。
【００２３】
更に、本例の自己書き込み型電子ペーパーＥＰは、通信機能、メモリ機能及び連携状態検出機能を備えているので、図１及び図３を参照して後述するように、ドキュメント編集装置と連携して、表示部１２に表示保持しているドキュメントをドキュメント編集装置による処理の対象とすることができる。
【００２４】
なお、光書き込み型や自己書き込み型等の形式を問わず、無線部５（１５）、メモリ６（１６）、バッテリ９（１９）等といった無線通信機能やメモリ機能部を電子ペーパーの表示部とは別の無線ＩＣタグとして構成し、当該無線ＩＣタグを電子ペーパーに取り付けることにより上記と同様な構成とするようにしてもよい。なお、無線ＩＣタグとした場合等において、バッテリ９（１９）はタグリーダーからの起電力を保持するコンデンサとするようにしてもよい。
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的にコンテンツ画像を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーの表示部２（１２）としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００２５】
次に、本発明の実施例に係るドキュメント編集システムを説明する。
なお、以下に説明するドキュメント編集システムでは、電子ペーパーＥＰは、情報表示保持機能に加えて、通信機能、メモリ機能及び連携状態検出機能を備えていれば光書き込み型と自己書き込み型とのいずれの形式のものでも用いることができる。
【００２６】
図１には本発明の一実施例に係るドキュメント編集システムを示している。
電子ペーパーＥＰには、上記のようにドキュメント画像を表示保持する表示部２（１２）に加えて、処理部３（１３）の機能手段により、表示部２（１２）に表示保持しているドキュメントに係る情報として当該ドキュメントの電子データ又は当該ドキュメントを識別するドキュメントＩＤコードを記憶するドキュメント情報記憶手段４１と、ドキュメント編集装置５０の操作入力手段５１と所定の連携状態とされたことを検出する状態検出手段４２と、所定の連携状態となったときに表示保持しているドキュメントに係る情報情報を送信する送信手段４３とが構成されている。
【００２７】
ドキュメント情報記憶手段４１はメモリ６（１６）により構成され、状態検出手段４２はセンサ７（１７）により構成され、送信手段４３は制御部８（１８）及び通信部５（１５）により構成される。
表示保持しているドキュメントの電子データ又は当該ドキュメントのＩＤコードデータは、例えば、電子ペーパーＥＰへの光書き込みやデータ入力に際して、ドキュメント情報記憶手段４１に入力して記憶させる。なお、電子ペーパーＥＰからドキュメント編集装置５０へドキュメント電子データを転送する場合には、ドキュメント情報記憶手段４１に当該ドキュメント電子データを記憶させるが、ドキュメント編集装置５０が対応するドキュメント電子データを保持又は自己で取得できる場合には、ドキュメント情報記憶手段４１に当該ドキュメント電子データの識別コードを記憶させて、これをドキュメント編集装置５０へ送信するようにしてもよい。
【００２８】
ここで、電子ペーパーＥＰとの連携が検出されるドキュメント編集装置５０の操作入力手段５１は、以下の説明では、図５に示すようにドキュメント編集装置５０を構成するパーソナルコンピュータに備えられたマウス５１とするが、操作入力手段５１としては、キーボード等、ユーザの操作入力を受け付けるためにドキュメント編集装置５０に備えられる種々なデバイスを採用することができる。
また、電子ペーパーＥＰとドキュメント編集装置５０の操作入力手段５１との連携状態とは、例えば、図６に示すように電子ペーパーＥＰのサイズがある程大きい場合にはマウス５１が当該電子ペーパーＥＰ上に載せられた状態、電子ペーパーＥＰがカードの様に小さい場合には図７に示すようにはマウス５１に差し込まれた状態や図８に示すようにマウス５１を操作するためのマウスパッド４９に差し込まれた状態とすることができる。
【００２９】
検出方法としては、例えば、図６の場合にはマウス５１が接触したことをセンサ４２により検知したり、図７の場合にはマウス５１に差し込まれたことをセンサ４２により検知したり、図８の場合にはマウスパッド４９に差し込まれたことをセンサ４２により検知したりすればよいが、この他、電子ペーパーＥＰに操作ボタンを設けて、これをユーザが操作したことをセンサ４２により検知して、ユーザによって電子ペーパーＥＰとマウス５１とが所定の連携状態とされたことを検知してもよい。或いは、マウス５１内に埋め込まれた無線ＩＣタグリーダーの検出機能を用いて、近接にある電子ペーパーＥＰ内の無線ＩＣタグを検出し連携状態とされたことを検知してもよい。
なお、連携状態は、電子ペーパーＥＰとドキュメント編集装置の操作入力手段５１とをユーザが連携していると認識する状態であればよく、接触や差し込み以外の種々な態様を採用することができる。
【００３０】
ドキュメント編集装置５０は、マウス５１の他に表示画面５２を有しており、また、内部的な機能手段として、電子ペーパーＥＰから送信されたドキュメント電子データやドキュメントＩＤデータを受信する通信手段５３、ドキュメント電子データを記憶するドキュメントメモリ５４、ドキュメントの表示や編集等の処理を行うドキュメント処理手段５５を有している。
【００３１】
更に、ドキュメント処理手段５５は、ドキュメントデータメモリ５４から読み出された又は電子ペーパーＥＰから受信したドキュメント電子データに基づいてドキュメント画像を画面５２に表示するドキュメント表示手段５７、画面５２に表示しているドキュメント画像中にマウス５１による指示位置をカーソル形式等で表示する指示位置表示手段５８、電子ペーパーＥＰから入力されたドキュメントに係る情報に基づいて当該ドキュメントのサムネイル画像を生成するサムネイル作成手段５９、生成されたサムネイル画像を画面５２に表示しているドキュメント画像中の指示位置（カーソル位置）に表示するサムネイル表示手段６０、マウス等の操作入力手段５１から入力された指示に応じて電子ペーパーＥＰから入力されたドキュメントに係る情報に基づくドキュメント電子データを画面表示しているドキュメントの電子データの指示位置に該当する位置に挿入するデータ編集手段６１を有している。
【００３２】
ここで、電子ペーパーＥＰから入力される表示保持しているドキュメントに係る情報が、ドキュメント電子データである場合には当該電子データを用いてサムネイル画像の生成や挿入処理を行えばよいが、ドキュメントＩＤデータである場合には当該ドキュメントＩＤに対応するドキュメント電子データをドキュメントメモリ５４から読み出してサムネイル生成や画面５２に表示しているドキュメントへの挿入処理を行えばよい。
【００３３】
次いで、図１に示すシステムによる処理動作を図２を参照して説明する。
ドキュメント編集装置５０が画面５２にドキュメントＤ１の画像を表示し、電子ペーパーＥＰが表示部２（１２）にドキュメントＤ２の画像を表示保持しているとして、電子ペーパーＥＰに対してマウス５１を接触させる等の所定の連携状態とすると、状態検出手段４２が当該状態を検出して、ドキュメント情報メモリ４１に記憶されている表示部に表示保持しているドキュメントに係る情報が送信部４３から送信される。
【００３４】
ドキュメント編集装置５０では、電子ペーパーＥＰから送信されたドキュメントに係る情報に基づいて、上記のようにして該当するドキュメント電子データを処理対象として、サムネイル作成手段５９がドキュメントＤ２のサムネイル画像Ｓを生成する。ドキュメント編集装置５０は、画面５２にドキュメントＤ１の画像を表示している状態で、マウス５１によるドキュメント画像Ｄ１中の指示位置をカーソル表示するが、上記のようにサムネイル画像Ｓが生成されると、これをサムネイル表示手段６０が指示位置に表示する。
そして、マウスをクリック操作したりキーボードのキー操作をしたりして、操作入力手段５１からペースト操作が入力されると、ドキュメント画像Ｄ１中のサムネイル表示されている指示位置にドキュメント画像Ｄ２が挿入される。このドキュメント挿入の編集手段６１におけるデータ処理としては、ドキュメントＤ１の電子データ中の指示位置に対応する位置にドキュメントＤ２の電子データが挿入することとなる。
【００３５】
したがって、画面５２に表示されているドキュメント画像Ｄ１中には電子ペーパーＥＰのドキュメント画像Ｄ２のサムネイルＳが表示され、当該サムネイルＳは図５に示すようにマウスの操作に応じてドキュメント画像Ｄ１中の任意の位置に置くことができる。そして、ユーザは所望の位置でペースト操作するだけで、ドキュメントＤ１中の対応する位置にドキュメントＤ２を挿入することができ、電子ペーパーＥＰは表示保持するドキュメントをドキュメント編集装置５０の編集処理等の対象とすることができる。
なお、画面５２中におけるカーソル等の指示位置だけでも、電子ペーパーＥＰのドキュメントを挿入する位置を認識することができるため、表示サムネイル画像Ｓの生成及び表示は本発明では省くこともできる。また、サムネイル表示は電子ペーパーＥＰがマウスから切り離された段階で終了する機能を付加してもよい。
【００３６】
図３には本発明の他の実施例に係るドキュメント編集システムを示している。
なお、図１に示した実施例と同様な部分には同一符号を付して重複する説明は省略する。まや、本実施例は、図４に示すように電子ペーパーＥＰが表示保持しているドキュメントＤ３を編集等の処理を可能にするためにＰＣ等の情報処理装置内の電子データとすることを主眼としたものであるので、図３に示すドキュメント編集装置５０には編集手段６１等の任意な機能手段は特徴を明確化するために敢えて記載を省略してある。
【００３７】
本実施例のドキュメント編集装置５０では、ドキュメント処理手段５５としてドキュメント表示手段５７に加えてアプリケーション起動手段６２を設けている。
アプリケーション起動手段６２は、ドキュメント電子データを規格通りに表示したり編集したりするための当該ドキュメントのデータ形式に対応したアプリケーションプログラムを起動させる機能であり、本例では、電子ペーパーＥＰが表示保持するドキュメントＤ３の電子データが処理対象となったときに、当該データ形式に基づいて対応するアプリケーションプログラムを起動させる。
なお、テキスト形式等のドキュメント電子データは、対応するアプリケーションプログラムを起動させずとも、画面５２へ一応のドキュメント画像を表示し、ドキュメント電子データに対する簡単な編集処理を行えるので、本発明では、アプリケーション起動手段６２は必須ではない。
【００３８】
次いで、図３に示すシステムによる処理動作を図４を参照して説明する。
ドキュメント編集装置５０が画面５２に何らドキュメントを表示しておらず、電子ペーパーＥＰが表示部２（１２）にドキュメントＤ３の画像を表示保持しているとして、電子ペーパーＥＰに対してマウス５１を接触させる等の所定の連携状態とすると、状態検出手段４２が当該状態を検出して、ドキュメント情報メモリ４１に記憶されている表示部に表示保持しているドキュメントに係る情報が送信部４３から送信される。
【００３９】
ドキュメント編集装置５０では、電子ペーパーＥＰから送信されたドキュメントＤ３に係る情報に基づいて、上記のようにして該当するドキュメント電子データを処理対象とし、アプリケーション起動手段６２が対応するアプリケーションプログラムを起動して画面５２にドキュメント画像Ｄ３を表示する。すなわち、ドキュメント編集処理５０ではドキュメントＤ３の電子データを編集等の処理対象とすることとなる。
したがって、ユーザは電子ペーパーＥＰと操作入力手段５１とを連携させることにより、当該電子ペーパーＥＰが表示保持しているドキュメント画像Ｄ３について、ドキュメント編集装置５０による表示や編集等といった処理対象データとすることができる。
なお、起動されたアプリケーションプログラムは電子ペーパーＥＰがマウスから切り離された段階で終了する機能を付加してもよい。
【図面の簡単な説明】
【００４０】
【図１】本発明の一実施例に係るドキュメント編集システムの構成図である。
【図２】本発明の一実施例に係るドキュメント編集システムの処理説明図である。
【図３】本発明の他の実施例に係るドキュメント編集システムの構成図である。
【図４】本発明の他の実施例に係るドキュメント編集システムの処理説明図である。
【図５】本発明に係るドキュメント編集装置を示す図である。
【図６】本発明に係る電子ペーパーと操作入力手段との連携関係を説明する図である。
【図７】本発明に係る電子ペーパーと操作入力手段との連携関係を説明する図である。
【図８】本発明に係る電子ペーパーと操作入力手段との連携関係を説明する図である。
【図９】光書き込み型電子ペーパーを示す図である。
【図１０】光書き込み型電子ペーパーの使用方法を説明する図である。
【図１１】光書き込み型電子ペーパーの動作原理を説明する図である。
【図１２】光書き込み型電子ペーパーの構造を説明する図である。
【図１３】自己書き換え型電子ペーパーを示す図である。
【図１４】自己書き換え換え型電子ペーパーの動作原理を説明する図である。
【図１５】自己書き換え型電子ペーパーの構造を説明する図である。
【符号の説明】
【００４１】
ＥＰ：電子ペーパー、  Ｄ１、Ｄ２、Ｄ３：ドキュメント、
Ｓ：サムネイル、  ４１：ドキュメント情報記憶部、
４２：状態検出部、  ４３：送信部、
５０：ドキュメント編集装置、  ５１：操作入力手段、
５２：表示画面、  ５３：受信手段、
５４：ドキュメントデータ記憶手段、  ５５：ドキュメント処理手段、
５７：ドキュメント表示手段、  ５８：指示位置表示手段、
５９：サムネイル生成手段、  ６０：サムネイル表示手段、
６１：データ編集手段、  ６２：アプリケーション起動手段、
【図１】
2005267145.tif 000003
【図２】
2005267145.tif 000004
【図３】
2005267145.tif 000005
【図４】
2005267145.tif 000006
【図５】
2005267145.tif 000007
【図６】
2005267145.tif 000008
【図７】
2005267145.tif 000009
【図８】
2005267145.tif 000010
【図９】
2005267145.tif 000011
【図１０】
2005267145.tif 000012
【図１１】
2005267145.tif 000013
【図１２】
2005267145.tif 000014
【図１３】
2005267145.tif 000015
【図１４】
2005267145.tif 000016
【図１５】
2005267145.tif 000017